【手続補正書】
【提出日】平成16年11月8日(2004.11.8)
【手続補正１】
【補正対象書類名】明細書
【補正対象項目名】特許請求の範囲
【補正方法】変更
【補正の内容】
【特許請求の範囲】
【請求項１】
透明基板の厚さがｔ１である第１の光情報記録媒体に対する情報の記録又は再生に用いる波長λ１の第１の光源と、透明基板の厚さがｔ２（ｔ１＜ｔ２）である第２の光情報記録媒体に対する情報の記録又は再生に用いる波長λ２（λ１＜λ２）である第２の光源と、前記第１及び前記第２の光源から出射された光束を、前記第１及び前記第２光情報記録媒体の透明基板を介して情報記録面に集光させる対物レンズを含む集光光学系と、光検出器と、を有する光ピックアップ装置用の対物レンズであって、
光学機能領域として、光軸に近い側の内側光学機能領域と、光軸から遠い側の外側光学機能領域と、前記内側光学機能領域と前記外側光学機能領域との間にある中間光学機能領域とを有し、
前記内側光学機能領域には回折構造が形成され、
前記内側光学機能領域を通過する光束は、前記第１及び前記第２の光情報記録媒体に対する記録又は再生時の球面収差が補正され、
前記外側光学機能領域を通過する光束は、前記第１の光情報記録媒体に対する情報の記録又は再生時の球面収差が補正され、且つ前記第２の光情報記録媒体に対する情報の記録又は再生時にはフレア化されるようになっており、
前記第２の光情報記録媒体に対する情報の記録又は再生時に、前記中間光学機能領域を通過した光束の球面収差は、前記第２の光情報記録媒体に対する情報の記録又は再生時に、前記外側光学機能領域を通過した光束の球面収差に不連続であり、
更に、前記第２の光情報記録媒体に対する情報の記録又は再生時に、前記中間光学機能領域を通過して前記第２の光情報記録媒体に至る光束における球面収差量の絶対値は、前記第２の光情報記録媒体に対する情報の記録又は再生時に、前記内側光学機能領域を通過し前記第２の光情報記録媒体に至る光束における球面収差量の絶対値より大きくなっていることを特徴とする光ピックアップ装置の対物レンズ。
【請求項２】
前記第１の光情報記録媒体に対して情報の記録又は再生を行う際における前記対物レンズの結像倍率をｍ１としたとき、下記条件式を満たすことを特徴とする請求項１に記載の光ピックアップ装置の対物レンズ。
−０．１＜ｍ１＜０．１
【請求項３】
前記第２の光情報記録媒体に対して情報の記録又は再生を行う際における前記対物レンズの結像倍率をｍ２としたとき、下記条件式を満たすことを特徴とする請求項２に記載の光ピックアップ装置の対物レンズ。
｜ｍ１−ｍ２｜＜０．０５
【請求項４】
前記第１の光情報記録媒体に対して情報の記録又は再生を行う際に、前記第１の光源から出射された第１の有効光束における波面収差をＳＡ１としたとき、下記条件式を満たすことを特徴とする請求項１乃至３のいずれかに記載の光ピックアップ装置用の対物レンズ。
｜ＳＡ１｜＜０．０１λ１ｒｍｓ
【請求項５】
前記第２の光情報記録媒体に対して情報の記録又は再生を行う際に、前記第２の光源から出射された第２の有効光束における波面収差をＳＡ２としたとき、下記条件式を満たすことを特徴とする請求項１乃至４のいずれかに記載の光ピックアップ装置用の対物レンズ。
｜ＳＡ２｜＜０．０１λ２ｒｍｓ
【請求項６】
前記第２の光情報記録媒体に対して情報の記録又は再生を行う際に、第２の有効光束の最外部を通過する光線の縦球面収差量をＬＳＡ２ｈ２とし、前記第１の光情報記録媒体に対して情報の記録又は再生を行う際に、前記第２の有効光束の最外部を通過する光線の縦球面収差量をＬＳＡ１ｈ２とした場合に、下記条件式を満たすことを特徴とする請求項１乃至５のいずれかに記載の光ピックアップ装置用の対物レンズ。
｜ＬＳＡ２ｈ２｜＋｜ＬＳＡ１ｈ２｜＜０．０１ｍｍ
【請求項７】
前記中間光学機能領域を通過する光束は、前記第２の光情報記録媒体に対する情報の記録又は再生時にはフレア化されるようになっていることを特徴とする請求項１乃至６のいずれかに記載の光ピックアップ装置用の対物レンズ。
【請求項８】
前記中間光学機能領域を通過する光束は、前記第２の光情報記録媒体に対する情報の記録又は再生時にはアンダーな球面収差を有することを特徴とする請求項１乃至７のいずれかに記載の光ピックアップ装置用の対物レンズ。
【請求項９】
前記中間光学機能領域を通過する光束は、前記第１の光情報記録媒体に対する情報の記録又は再生時には球面収差が補正されることを特徴とする請求項１乃至８のいずれかに記載の光ピックアップ装置用の対物レンズ。
【請求項１０】
透明基板の厚さがｔ１である第１の光情報記録媒体に対する情報の記録又は再生に用いる波長λ１の第１の光源と、透明基板の厚さがｔ２（ｔ１＜ｔ２）である第２の光情報記録媒体に対する情報の記録又は再生に用いる波長λ２（λ１＜λ２）である第２の光源と、前記第１及び前記第２の光源から出射された光束を、前記第１及び前記第２光情報記録媒体の透明基板を介して情報記録面に集光させる対物レンズを含む集光光学系と、光検出器と、を有する光ピックアップ装置であって、
前記対物レンズにおいて、
光学機能領域として、光軸に近い側の内側光学機能領域と、光軸から遠い側の外側光学機能領域と、前記内側光学機能領域と前記外側光学機能領域との間にある中間光学機能領域とを有し、
前記内側光学機能領域には回折構造が形成され、
前記内側光学機能領域を通過する光束は、前記第１及び前記第２の光情報記録媒体に対する記録又は再生時の球面収差が補正され、
前記外側光学機能領域を通過する光束は、前記第１の光情報記録媒体に対する情報の記録又は再生時の球面収差が補正され、且つ前記第２の光情報記録媒体に対する情報の記録又は再生時にはフレア化されるようになっており、
前記第２の光情報記録媒体に対する情報の記録又は再生時に、前記中間光学機能領域を通過した光束の球面収差は、前記第２の光情報記録媒体に対する情報の記録又は再生時に、前記外側光学機能領域を通過した光束の球面収差に不連続であり、
更に、前記第２の光情報記録媒体に対する情報の記録又は再生時に、前記中間光学機能領域を通過して前記第２の光情報記録媒体に至る光束における球面収差量の絶対値は、前記第２の光情報記録媒体に対する情報の記録又は再生時に、前記内側光学機能領域を通過し前記第２の光情報記録媒体に至る光束における球面収差量の絶対値より大きくなっていることを特徴とする光ピックアップ装置。
【請求項１１】
前記第１の光情報記録媒体に対して情報の記録又は再生を行う際における前記対物レンズの結像倍率をｍ１としたとき、下記条件式を満たすことを特徴とする請求項１０に記載の光ピックアップ装置。
−０．１＜ｍ１＜０．１
【請求項１２】
前記第２の光情報記録媒体に対して情報の記録又は再生を行う際における前記対物レンズの結像倍率をｍ２としたとき、下記条件式を満たすことを特徴とする請求項１１に記載の光ピックアップ装置。
｜ｍ１−ｍ２｜＜０．０５
【請求項１３】
前記第１の光情報記録媒体に対して情報の記録又は再生を行う際に、前記第１の光源から出射された第１の有効光束における波面収差をＳＡ１としたとき、下記条件式を満たすことを特徴とする請求項１０乃至１２のいずれかに記載の光ピックアップ装置。
｜ＳＡ１｜＜０．０１λ１ｒｍｓ
【請求項１４】
前記第２の光情報記録媒体に対して情報の記録又は再生を行う際に、前記第２の光源から出射された第２の有効光束における波面収差をＳＡ２としたとき、下記条件式を満たすことを特徴とする請求項１０乃至１３のいずれかに記載の光ピックアップ装置。
｜ＳＡ２｜＜０．０１λ２ｒｍｓ
【請求項１５】
前記第２の光情報記録媒体に対して情報の記録又は再生を行う際に、第２の有効光束の最外部を通過する光線の縦球面収差量をＬＳＡ２ｈ２とし、前記第１の光情報記録媒体に対して情報の記録又は再生を行う際に、前記第２の有効光束の最外部を通過する光線の縦球面収差量をＬＳＡ１ｈ２とした場合に、下記条件式を満たすことを特徴とする請求項１０乃至１４のいずれかに記載の光ピックアップ装置。
｜ＬＳＡ２ｈ２｜＋｜ＬＳＡ１ｈ２｜＜０．０１ｍｍ
【請求項１６】
前記中間光学機能領域を通過する光束は、前記第２の光情報記録媒体に対する情報の記録又は再生時にはフレア化されるようになっていることを特徴とする請求項１０乃至１５のいずれかに記載の光ピックアップ装置。
【請求項１７】
前記中間光学機能領域を通過する光束は、前記第２の光情報記録媒体に対する情報の記録又は再生時にはアンダーな球面収差を有することを特徴とする請求項１０乃至１６のいずれかに記載の光ピックアップ装置。
【請求項１８】
前記中間光学機能領域を通過する光束は、前記第１の光情報記録媒体に対する情報の記録又は再生時には球面収差が補正されることを特徴とする請求項１０乃至１７のいずれかに記載の光ピックアップ装置。
【手続補正２】
【補正対象書類名】明細書
【補正対象項目名】００１０
【補正方法】変更
【補正の内容】
【００１０】
【課題を解決するための手段】
請求項１に記載の光ピックアップ装置用の対物レンズは、透明基板の厚さがｔ１である第１の光情報記録媒体に対する情報の記録又は再生に用いる波長λ１の第１の光源と、透明基板の厚さがｔ２（ｔ１＜ｔ２）である第２の光情報記録媒体に対する情報の記録又は再生に用いる波長λ２（λ１＜λ２）である第２の光源と、前記第１及び前記第２の光源から出射された光束を、前記第１及び前記第２光情報記録媒体の透明基板を介して情報記録面に集光させる対物レンズを含む集光光学系と、光検出器と、を有する光ピックアップ装置用の対物レンズであって、
光学機能領域として、光軸に近い側の内側光学機能領域と、光軸から遠い側の外側光学機能領域と、前記内側光学機能領域と前記外側光学機能領域との間にある中間光学機能領域とを有し、
前記内側光学機能領域には回折構造が形成され、
前記内側光学機能領域を通過する光束は、前記第１及び前記第２の光情報記録媒体に対する記録又は再生時の球面収差が補正され、
前記外側光学機能領域を通過する光束は、前記第１の光情報記録媒体に対する情報の記録又は再生時の球面収差が補正され、且つ前記第２の光情報記録媒体に対する情報の記録又は再生時にはフレア化されるようになっており、
前記第２の光情報記録媒体に対する情報の記録又は再生時に、前記中間光学機能領域を通過した光束の球面収差は、前記第２の光情報記録媒体に対する情報の記録又は再生時に、前記外側光学機能領域を通過した光束の球面収差に不連続であり、
更に、前記第２の光情報記録媒体に対する情報の記録又は再生時に、前記中間光学機能領域を通過して前記第２の光情報記録媒体に至る光束における球面収差量の絶対値は、前記第２の光情報記録媒体に対する情報の記録又は再生時に、前記内側光学機能領域を通過し前記第２の光情報記録媒体に至る光束における球面収差量の絶対値より大きくなっていることを特徴とする。
請求項２に記載の光ピックアップ装置の対物レンズによれば、前記第１の光情報記録媒体に対して情報の記録又は再生を行う際における前記対物レンズの結像倍率をｍ１としたとき、下記条件式を満たすことを特徴とする。
−０．１＜ｍ１＜０．１ （１）
尚、本明細書中で、「光学機能領域により球面収差が補正される」とは、光学機能領域を通過した光束（光源波長λ）の球面収差が０．０７λｒｍｓ以下であることをいう。又、「球面収差が不連続」とは、図１を参照して後述する全ての不連続の状態を含むものである。
【手続補正３】
【補正対象書類名】明細書
【補正対象項目名】００１１
【補正方法】変更
【補正の内容】
【００１１】
請求項３に記載の光ピックアップ装置の対物レンズによれば、前記第２の光情報記録媒体に対して情報の記録又は再生を行う際における前記対物レンズの結像倍率をｍ２としたとき、下記条件式を満たすことを特徴とする。
｜ｍ１−ｍ２｜＜０．０５ （２）
【手続補正４】
【補正対象書類名】明細書
【補正対象項目名】００１２
【補正方法】変更
【補正の内容】
【００１２】
請求項４に記載の光ピックアップ装置の対物レンズによれば、前記第１の光情報記録媒体に対して情報の記録又は再生を行う際に、前記第１の光源から出射された第１の有効光束における波面収差をＳＡ１としたとき、下記条件式を満たすことを特徴とする。
｜ＳＡ１｜＜０．０１λ１ｒｍｓ （３）
【手続補正５】
【補正対象書類名】明細書
【補正対象項目名】００１３
【補正方法】変更
【補正の内容】
【００１３】
請求項５に記載の光ピックアップ装置の対物レンズによれば、前記第２の光情報記録媒体に対して情報の記録又は再生を行う際に、前記第２の光源から出射された第２の有効光束における波面収差をＳＡ２としたとき、下記条件式を満たすことを特徴とする。
｜ＳＡ２｜＜０．０１λ２ｒｍｓ （４）
【手続補正６】
【補正対象書類名】明細書
【補正対象項目名】００１４
【補正方法】変更
【補正の内容】
【００１４】
請求項６に記載の光ピックアップ装置の対物レンズにおいて、前記第２の光情報記録媒体に対して情報の記録又は再生を行う際に、第２の有効光束の最外部を通過する光線の縦球面収差量をＬＳＡ２ｈ２とし、前記第１の光情報記録媒体に対して情報の記録又は再生を行う際に、前記第２の有効光束の最外部を通過する光線の縦球面収差量をＬＳＡ１ｈ２とした場合に、下記条件式を満たすことを特徴とする。
｜ＬＳＡ２ｈ２｜＋｜ＬＳＡ１ｈ２｜＜０．０１ｍｍ （５）
【手続補正７】
【補正対象書類名】明細書
【補正対象項目名】００１５
【補正方法】変更
【補正の内容】
【００１５】
請求項７に記載の光ピックアップ装置の対物レンズにおいて、前記中間光学機能領域を通過する光束は、前記第２の光情報記録媒体に対する情報の記録又は再生時にはフレア化されるようになっていることを特徴とする。
【手続補正８】
【補正対象書類名】明細書
【補正対象項目名】００１６
【補正方法】変更
【補正の内容】
【００１６】
請求項８に記載の光ピックアップ装置の対物レンズにおいて、前記中間光学機能領域を通過する光束（中間光束）は、前記第２の光情報記録媒体に対する情報の記録又は再生時にはアンダーな球面収差を有することを特徴とする。
【手続補正９】
【補正対象書類名】明細書
【補正対象項目名】００１７
【補正方法】変更
【補正の内容】
【００１７】
請求項９に記載の光ピックアップ装置の対物レンズは、前記中間光学機能領域を通過する光束は、前記第１の光情報記録媒体に対する情報の記録又は再生時には球面収差が補正されることを特徴とする。
【手続補正１０】
【補正対象書類名】明細書
【補正対象項目名】００１８
【補正方法】変更
【補正の内容】
【００１８】
請求項１０に記載の光ピックアップ装置は、透明基板の厚さがｔ１である第１の光情報記録媒体に対する情報の記録又は再生に用いる波長λ１の第１の光源と、透明基板の厚さがｔ２（ｔ１＜ｔ２）である第２の光情報記録媒体に対する情報の記録又は再生に用いる波長λ２（λ１＜λ２）である第２の光源と、前記第１及び前記第２の光源から出射された光束を、前記第１及び前記第２光情報記録媒体の透明基板を介して情報記録面に集光させる対物レンズを含む集光光学系と、光検出器と、を有する光ピックアップ装置であって、
前記対物レンズにおいて、
光学機能領域として、光軸に近い側の内側光学機能領域と、光軸から遠い側の外側光学機能領域と、前記内側光学機能領域と前記外側光学機能領域との間にある中間光学機能領域とを有し、
前記内側光学機能領域には回折構造が形成され、
前記内側光学機能領域を通過する光束は、前記第１及び前記第２の光情報記録媒体に対する記録又は再生時の球面収差が補正され、
前記外側光学機能領域を通過する光束は、前記第１の光情報記録媒体に対する情報の記録又は再生時の球面収差が補正され、且つ前記第２の光情報記録媒体に対する情報の記録又は再生時にはフレア化されるようになっており、
前記第２の光情報記録媒体に対する情報の記録又は再生時に、前記中間光学機能領域を通過した光束の球面収差は、前記第２の光情報記録媒体に対する情報の記録又は再生時に、前記外側光学機能領域を通過した光束の球面収差に不連続であり、
更に、前記第２の光情報記録媒体に対する情報の記録又は再生時に、前記中間光学機能領域を通過して前記第２の光情報記録媒体に至る光束における球面収差量の絶対値は、前記第２の光情報記録媒体に対する情報の記録又は再生時に、前記内側光学機能領域を通過し前記第２の光情報記録媒体に至る光束における球面収差量の絶対値より大きくなっていることを特徴とする。
請求項１１に記載の光ピックアップ装置は、前記第１の光情報記録媒体に対して情報の記録又は再生を行う際における前記対物レンズの結像倍率をｍ１としたとき、下記条件式を満たすことを特徴とする。
−０．１＜ｍ１＜０．１ （６）
【手続補正１１】
【補正対象書類名】明細書
【補正対象項目名】００１９
【補正方法】変更
【補正の内容】
【００１９】
請求項１２に記載の光ピックアップ装置は、前記第２の光情報記録媒体に対して情報の記録又は再生を行う際における前記対物レンズの結像倍率をｍ２としたとき、下記条件式を満たすことを特徴とする。
｜ｍ１−ｍ２｜＜０．０５ （７）
【手続補正１２】
【補正対象書類名】明細書
【補正対象項目名】００２０
【補正方法】変更
【補正の内容】
【００２０】
請求項１３に記載の光ピックアップ装置は、前記第１の光情報記録媒体に対して情報の記録又は再生を行う際に、前記第１の光源から出射された第１の有効光束における波面収差をＳＡ１としたとき、下記条件式を満たすことを特徴とする。
｜ＳＡ１｜＜０．０１λ１ｒｍｓ （８）
【手続補正１３】
【補正対象書類名】明細書
【補正対象項目名】００２１
【補正方法】変更
【補正の内容】
【００２１】
請求項１４に記載の光ピックアップ装置は、前記第２の光情報記録媒体に対して情報の記録又は再生を行う際に、前記第２の光源から出射された第２の有効光束における波面収差をＳＡ２としたとき、下記条件式を満たすことを特徴とする。
｜ＳＡ２｜＜０．０１λ２ｒｍｓ （９）
【手続補正１４】
【補正対象書類名】明細書
【補正対象項目名】００２２
【補正方法】変更
【補正の内容】
【００２２】
請求項１５に記載の光ピックアップ装置は、前記第２の光情報記録媒体に対して情報の記録又は再生を行う際に、第２の有効光束の最外部を通過する光線の縦球面収差量をＬＳＡ２ｈ２とし、前記第１の光情報記録媒体に対して情報の記録又は再生を行う際に、前記第２の有効光束の最外部を通過する光線の縦球面収差量をＬＳＡ１ｈ２とした場合に、下記条件式を満たすことを特徴とする。
｜ＬＳＡ２ｈ２｜＋｜ＬＳＡ１ｈ２｜＜０．０１ｍｍ （１０）
【手続補正１５】
【補正対象書類名】明細書
【補正対象項目名】００２３
【補正方法】変更
【補正の内容】
【００２３】
請求項１６に記載の光ピックアップ装置は、前記中間光学機能領域を通過する光束は、前記第２の光情報記録媒体に対する情報の記録又は再生時にはフレア化されるようになっていることを特徴とする。
【手続補正１６】
【補正対象書類名】明細書
【補正対象項目名】００２４
【補正方法】変更
【補正の内容】
【００２４】
請求項１７に記載の光ピックアップ装置は、前記中間光学機能領域を通過する光束は、前記第２の光情報記録媒体に対する情報の記録又は再生時にはアンダーな球面収差を有することを特徴とする。
【手続補正１７】
【補正対象書類名】明細書
【補正対象項目名】００２５
【補正方法】変更
【補正の内容】
【００２５】
請求項１８に記載の光ピックアップ装置は、前記中間光学機能領域を通過する光束は、前記第１の光情報記録媒体に対する情報の記録又は再生時には球面収差が補正されることを特徴とする。